(57)【要約】【課題】見栄えが良く、枠部と表示素子の表示領域との一体感を向上させることが可能な表示装置を提供する。【解決手段】所定の情報を表示する表示領域１７０Ａを有する有機ＥＬパネル１７０と、光源と、表示領域１７０Ａを囲むように配置され前記光源からの光Ｌ１を受けて発光する枠部１４０Ａを有する導光部材１４０と、を備える車両用表示装置１００である。枠部１４０Ａは、有機ＥＬパネル１７０の表示面１７１側に位置し光Ｌ１を表示面１７１に対して垂直方向に反射する第三の反射面１４５と、第三の反射面１４５と対向し表示面１７１に向かって傾斜する傾斜面１４６と、第三の反射面１４５と傾斜面１４６とを繋ぎ表示面１７１に対して垂直な垂直面１４７と、を備える。【選択図】図３
2015160580.tif 000002
【特許請求の範囲】
【請求項１】
所定の情報を表示する表示領域を有する表示素子と、光源と、前記表示領域を囲むように配置され前記光源からの光を受けて発光する枠部を有する導光部材と、を備える表示装置であって、
前記枠部は、前記表示素子の表示面側に位置し前記光を前記表示面の反対方向に反射する反射面と、前記反射面と対向し前記表示面に向かって傾斜する傾斜面と、前記反射面と前記傾斜面とを繋ぎ前記表示面に対して垂直な垂直面と、を備えてなることを特徴とする表示装置。
【請求項２】
前記反射面の高さは、前記枠部の高さの半分以下であることを特徴とする請求項１に記載の表示装置。
【発明の詳細な説明】
【技術分野】
【０００１】
本発明は、所定の情報を表示する表示素子を備えた表示装置に関するものである。
【背景技術】
【０００２】
従来、この種の表示装置として、有機ＥＬ（Electro-Luminescence）パネルなどの自発光型表示素子の周囲に光源からの光を受けて発光する付加発光部を形成する透光部材を備えるものが知られている（例えば、特許文献１参照）。また、特許文献１には、透光部材を枠状とすることも開示されている。
【先行技術文献】
【特許文献】
【０００３】
【特許文献１】特開２００４−２５８２５５号公報
【発明の開示】
【発明が解決しようとする課題】
【０００４】
図４は、従来の表示装置２００の例を示す断面図であり、自発光型表示素子である有機ＥＬパネル２１０の表示面２１１側に所定の情報を表示する表示領域２１０Ａを囲むように枠状の導光部材２２０を設けている。なお、図４においては図を見やすくするために断面のハッチングを省略して図示している。かかる構成においては、図示しない光源からの光Ｌ２を受けて発光する枠部２２０Ａを得るために、枠部２２０Ａとなる導光部材２２０の内側側端部に視認者側、すなわち表示面２１１に対して垂直方向に光Ｌ２を反射させるべく、表示面２１１に対して４５°程度視認者側、すなわち表示面２１１とは反対方向（図４における上方向）に傾斜した反射面２２１を形成するのが一般的である。
しかしながら、枠部２２０Ａの側面全体に反射面２２１を形成すると、反射面２２１と有機ＥＬパネル２１０の表示領域２１０Ａを囲む額縁領域である非表示領域２１０Ｂとの間に略三角形状の隙間Ｓが生じ、表示装置２００を斜め方向から見ると非表示領域２１０Ｂが視認されて見栄えが悪いという問題点があった。また、前記光源からの光Ｌ２は反射面２２１によって大部分が視認者側に向けられるため、枠部２２０Ａと有機ＥＬパネル２１０の表示領域２１０Ａとの境界が明確で一体感に乏しいという点で改良の余地があった。
【０００５】
本発明は、前述の問題点に鑑み、見栄えが良く、枠部と表示素子の表示領域との一体感を向上させることが可能な表示装置を提供することを目的とする。
【課題を解決するための手段】
【０００６】
本発明は、前記課題を解決するため、所定の情報を表示する表示領域を有する表示素子と、光源と、前記表示領域を囲むように配置され前記光源からの光を受けて発光する枠部を有する導光部材と、を備える表示装置であって、
前記枠部は、前記表示素子の表示面側に位置し前記光を前記表示面の反対方向に反射する反射面と、前記反射面と対向し前記表示面に向かって傾斜する傾斜面と、前記反射面と前記傾斜面とを繋ぎ前記表示面に対して垂直な垂直面と、を備えてなることを特徴とする。
【発明の効果】
【０００７】
本発明は、見栄えが良く、枠部と表示素子の表示領域との一体感を向上させることが可能となる。
【図面の簡単な説明】
【０００８】
【図１】（ａ）は、本発明の実施形態である車両用表示装置の外観を示す正面図であり、（ｂ）は同上車両用表示装置を示す断面図である。
【図２】同上車両用表示装置の導光部材を示す正面図である。
【図３】同上車両用表示装置を示す要部断面図である。
【図４】従来の表示装置を示す要部断面図である。
【発明を実施するための形態】
【０００９】
以下、本発明の実施形態を添付図面に基づいて説明する。
【００１０】
図１（ａ）は、車両のダッシュボード上やハンドルコラムカバー上等に設置される車両用表示装置（表示装置の一例）１００の外観を示す正面図であり、図１（ｂ）は、車両用表示装置１００の断面図である。
【００１１】
車両用表示装置１００は、図１（ａ）に示すように、車両情報としてエンジン回転数を表示するアナログ式の第一の表示部Ｄ１と、車両情報としてエンジンの過給圧を表示するアナログ式の第二の表示部Ｄ２と、数字表示によって複数の車両情報を表示するデジタル式の第三の表示部Ｄ３と、を有する、いわゆるコンビネーションメータである。なお、図１（ａ）において、第三の表示部Ｄ３には前記車両情報として車両の走行速度，水温及び油温を表示する例を示している。
【００１２】
車両用表示装置１００は、図１（ａ）及び（ｂ）に示すように、下ケース１１０と、回路基板１２０と、ＬＥＤ（光源）１３０と、導光部材１４０と、中ケース１５０と、表示板１６０と、有機ＥＬパネル１７０と、第一の指針１８０と、第二の指針１９０と、を備える。
アナログ式の第一，第二の表示部Ｄ１，Ｄ２は、表示板１６０上を回動する第一，第二の指針１８０，１９０と、表示板１６０に印刷形成される第一，第二の指標部１６１，１６２とで構成されるものであり、対比判読によってエンジン回転数及び過給圧を表示する。なお、第一，第二の指針１８０，１９０及び第一，第二の指標部１６１，１６２は、図示しないＬＥＤ群からの光によって透過照明される。
デジタル式の第三の表示部Ｄ３は、図１（ａ）及び（ｂ）に示すように有機ＥＬパネル１７０と導光部材１４０の枠部１４０Ａとによって構成されている。
【００１３】
下ケース１１０は、例えばＡＢＳ等の遮光性の合成樹脂材料からなり、前面に開口部１１１を有する凹形状に形成されるものである。下ケース１１０は、回路基板１２０，ＬＥＤ１３０，導光部材１４０，中ケース１５０，表示板１６０，有機ＥＬパネル１７０，第一の指針１８０，第二の指針１９０及びその他の各種内部部品を収納する。なお、下ケース１１０上には、開口部１１１を覆うように例えば透光性の樹脂材料からなる前面カバー（図示しない）が配設される。
【００１４】
回路基板１２０は、第一，第二の表示部Ｄ１，Ｄ２の第一，第二の指針１８０，１９０の回転駆動源となる第一，第二のステッピングモータ１２１，１２２及びＬＥＤ１３０や前記ＬＥＤ群、第一，第二のステッピングモータ１２１，１２２の回転駆動を制御し、また、ＬＥＤ１３０及び前記ＬＥＤ群の発光を制御する制御部を構成するマイクロコンピュータ等の電子部品（図示しない）等が実装されるものであり、表示板１６０の裏面側に配設され下ケース１１０に固定される。なお、ステッピングモータ１２１，１２２は、回路基板１２０に配設固定される第一，第二の載置板１２３，１２４を介してそれぞれ回路基板１２０の裏面に実装されている。
【００１５】
ＬＥＤ１３０は、表示板１６０の裏面側に配設され、導光部材１４０に向けて光Ｌ１を出射して導光部材１４０の枠部１４０Ａを発光させる光源となる。ＬＥＤ１３０は、導光部材１４０の後述する受光部１４２に対応して４つ（４個所）設けられる。
【００１６】
導光部材１４０は、例えばアクリル等の無色透明な合成樹脂材料からなり、表示板１６０と有機ＥＬパネル１７０との間に配設される。なお、導光部材１４０は、回路基板１２０に固定される図示しないホルダ部材によって支持される。図２は、導光部材１４０を示す正面図である。導光部材１４０は、図１及び図２に示すように、その略中央部分に形成される開口部１４１と、その外周側に形成されＬＥＤ１３０に向かって突出する受光部１４２と、受光部１４２と対向する第一の反射面１４３と、その外側角部に設けられる第二の反射面１４４と、を有する枠状部材であり、導光部材１４０の内側（開口部１４１側）側端部が有機ＥＬパネル１７０の表示領域１７０Ａを囲む枠部１４０Ａとなる。なお、受光部１４２，第一の反射面１４３，第二の反射面１４４はそれぞれ４つ（４個所）設けられる。ＬＥＤ１３０から出射された光Ｌ１は、受光部１４２から導光部材１４０内に導かれ（図１（ｂ）参照）、表示面１７１に向かって（図２における奥行き側に）傾斜する第一の反射面１４３によって第二の反射面１４４に向けて反射され、第二の反射面１４４によって内側の枠部１４０Ａに向けて反射される（図２参照）。枠部１４０Ａは、ＬＥＤ１３０からの光Ｌ１を受けて発光する。なお、枠部１４０Ａの構造及び発光についてはあとで詳述する。
【００１７】
中ケース１５０は、例えばＡＢＳ等の合成樹脂材料からなり、回路基板１２０上に配設固定されて表示板１６０を支持するものである。
【００１８】
表示板１６０は、透明な合成樹脂材料等からなる透光板とこの透光板上に印刷形成される遮光層とを有するものであり、表示意匠に応じて前記遮光層を除去することにより、エンジン回転数の値を示す第一の指標部１６１と、過給圧の値を示す第二の指標部１６２と、がそれぞれ形成されてなるものである。また、表示板１６０の第三の表示部Ｄ３に対応する個所には開口部１６３が形成されており、開口部１６３から有機ＥＬパネル１７０の表示面１７１と導光部材１４０の枠部１４０Ａが露出する状態となっている。
【００１９】
有機ＥＬパネル１７０は、透光性の基板上に形成される自発光素子である有機ＥＬ素子を備える自発光型の表示素子であり、導光部材１４０の枠部１４０Ａとともに第三の表示部Ｄ３を構成し、数字表示によって複数の車両情報を切り換えて表示するものである。有機ＥＬパネル１７０は、前記ホルダ部材によって表示板１６０の開口部１６３及び導光部材１４０の開口部１４１に対応する位置に支持される。有機ＥＬパネル１７０は、前記有機ＥＬ素子によって所定の情報（本実施形態では車両情報を表示する数字、文字、図形等）を表示する表示領域１７０Ａと、表示領域１７０Ａを囲む額縁領域であり情報が表示されない非表示領域１７０Ｂと、を有する。表示領域１７０Ａは導光部材１４０の開口部１４１及び表示板１６０の開口部１６３から露出し、非表示領域１７０Ｂは導光部材１４０の枠部１４０Ａあるいは表示板１６０によって覆われる。なお、第三の表示部Ｄ３を構成する表示素子としては、無機ＥＬパネルや蛍光表示管（ＶＦＤ）などの他の自発光型の表示素子のほか、液晶表示パネルなどの非発光型の表示素子であってもよい。
【００２０】
第一，第二の指針１８０，１９０は、それぞれ第一，第二の表示部Ｄ１，Ｄ２に対応するように表示板１６０の表示面上に配置されるものである。第一，第二の指針１８０，１９０は、それぞれ第一，第二のステッピングモータ１２１，１２２の回転駆動に伴って回転し、第一，第二の指標部１６１，１６２の指標を指示してエンジン回転数及び過給圧を表示する。
【００２１】
以上の各部材によって車両用表示装置１００が構成されている。
【００２２】
次に、図３を用いて導光部材１４０の枠部１４０Ａの構造及び発光について説明する。図３は、車両用表示装置１００の要部断面図である。なお、図３においては図を見やすくするために断面のハッチングを省略して図示している。
【００２３】
導光部材１４０の内側側端部である枠部１４０Ａは、その内側先端に第三の反射面１４５と、傾斜面１４６と、垂直面１４７と、を有する。第三の反射面１４５は、有機ＥＬパネル１７０の表示面１７１側に位置し、ＬＥＤ１３０からの光Ｌ１を表示面１７１の反対方向に反射する反射面である。第三の反射面１４５は、枠部１４０Ａの裏面から表示面１７１に対して表示面１７１とは反対方向に（図３における上向きに）略４５°傾斜する。傾斜面１４６は、第三の反射面１４５と対向するように枠部１４０Ａの視認者側に形成され、枠部１４０Ａの表面から表示面１７１に向かって（図３における下向きに）所定角度傾斜する。垂直面１４７は、第三の反射面１４５と傾斜面１４６とを繋ぐ、すなわち、第三の反射面１４５と傾斜面１４６との間に連続的に形成される面であって、表示面１７１に対して垂直（ほぼ垂直を含む）な面である。なお、第三の反射面１４５，傾斜面１４６及び垂直面１４７は、表面にシボ加工が施されて光Ｌ１を拡散させる微細な凹凸が形成される。枠部１４０Ａの先端が、第三の反射面１４５，傾斜面１４６及び垂直面１４７からなる先細り形状となるため、先端がすべて反射面である従来の枠部と比較して第三の反射面１４５と非表示領域１７０Ｂとの間の略三角形状の隙間が小さくなり、第三の表示部Ｄ３を斜めから見た場合にも非表示領域１７０Ｂが視認されにくくなる。なお、隙間を減少させる観点からは、第三の反射面１４５の高さは、枠部１４０Ａの高さ（厚さ）の半分以下であることが望ましい。
【００２４】
ここで、導光部材１４０内に導かれて枠部１４０Ａに向けられたＬＥＤ１３０から光Ｌ１は、一部が第三の反射面１４５で表示面１７１に対して反対方向に反射され傾斜面１４６から視認者に向けて出射されて枠部１４０Ａを発光させる。また、光Ｌ１の一部は、垂直面１４７から外部に漏れて、有機ＥＬパネル１７０の表示領域１７０Ａの外周を微かに照らす。これにより、枠部１４０Ａと有機ＥＬパネル１７０の表示領域１７０Ａとの境界が曖昧になり、両者の一体感を増すことができる。なお、垂直面１４７は、表示領域１７０Ａが微かに照らされる程度の光Ｌ１が出射されればよいため、少なくとも第三の反射面１４５よりも短く形成される。
【００２５】
かかる車両用表示装置１００は、所定の情報を表示する表示領域１７０Ａを有する有機ＥＬパネル１７０と、ＬＥＤ１３０と、表示領域１７０Ａを囲むように配置されＬＥＤ１３０からの光Ｌを受けて発光する枠部１４０Ａを有する導光部材１４０Ａと、を備える表示装置であって、枠部１４０Ａは、有機ＥＬパネル１７０の表示面１７１側に位置し光Ｌ１を表示面１７１の反対方向に反射する第三の反射面１４５と、第三の反射面１４５と対向し表示面１７１に向かって傾斜する傾斜面１４６と、第三の反射面１４５と傾斜面１４６とを繋ぎ表示面１７１に対して垂直な垂直面１４７と、を備えてなる。
【００２６】
これによれば、枠部１４０Ａの先端が、第三の反射面１４５，傾斜面１４６及び垂直面１４７からなる先細り形状となるため、先端がすべて反射面である従来の枠部と比較して第三の反射面１４５と非表示領域１７０Ｂとの間の略三角形状の隙間が小さくなり、第三の表示部Ｄ３を斜めから見た場合にも非表示領域１７０Ｂが視認されにくく、見栄えを向上させることができる。また、垂直面１４７から光Ｌ１を表示領域１７０Ａを照らすように出射することで枠部１４０Ａと表示領域１７０Ａとの境界を曖昧にして両者の一体感を向上させることができる。
【００２７】
また、第三の反射面１４５の高さは、枠部１４０Ａの高さの半分以下である。
これによれば、第三の反射面１４５と非表示領域１７０Ｂとの間の隙間を従来の半分以下とすることができ、第三の表示部Ｄ３を斜めから見た場合にも非表示領域１７０Ｂが視認されにくく、見栄えを向上させることができる。
【００２８】
なお、本発明は前述の実施形態に限定されるものではなく、発明の趣旨を逸脱しない範囲内で種々の変更（構成要素の削除を含む）が可能であることはもちろんである。例えば、本発明の表示装置は、車両用表示装置に限定されず、表示素子を備える表示装置に広く適用することができる。
【産業上の利用可能性】
【００２９】
本発明は、所定の情報を表示する表示素子を備えた表示装置に好適である。
【符号の説明】
【００３０】
１００    車両用表示装置（表示装置）
１１０    下ケース
１２０    回路基板
１３０    ＬＥＤ（光源）
１４０    導光部材
１４０Ａ    枠部
１４１    開口部
１４２    受光部
１４３    第一の反射面
１４４    第二の反射面
１４５    第三の反射面
１４６    傾斜面
１４７    垂直面
１５０    中ケース
１６０    表示板
１７０    有機ＥＬパネル（表示素子）
１７１    表示面
１７０Ａ    表示領域
１７０Ｂ    非表示領域
【図１】
2015160580.tif 000003
【図２】
2015160580.tif 000004
【図３】
2015160580.tif 000005
【図４】
2015160580.tif 000006